(57)【要約】【課題】電子機器が接続されるコネクタを容易に交換する。【解決手段】コネクタ１０はフレキシブル基板１０２により基板８ａの接続部１０３に着脱自在に接続される。コネクタ１０は頻繁に電子カメラが接続されるため、接点端子の消耗が激しいが、フレキシブル基板１０２を基板８ａの接続部１０３から取り外すことで、容易にコネクタ１０を交換することができる。【選択図】図１２
2006127610.tif 000002
【特許請求の範囲】
【請求項１】
上板と下板とで形成される外装部材の内部空間内に配設される、データを処理する信号処理手段及び前記データを記録再生するための記録再生装置を有する回路基板と、
前記上板に載置される電子機器が接続されるコネクタ本体と、
前記コネクタ本体を、前記回路基板に対して着脱自在に接続するコネクタ接続手段と
を備えたことを特徴とする電子機器装置。
【請求項２】
前記コネクタ本体を、前記上板に対して回動自在に保持するコネクタ載置部材
を備えたことを特徴とする請求項１に記載の電子機器装着装置。
【請求項３】
前記回路基板は、前記コネクタ載置部材の回動空間を切り欠いた切り欠き部を有する
ことを特徴とする請求項２に記載の電子機器装置。
【請求項４】
前記コネクタ本体はフレキシブル基板を介して前記コネクタ接続手段に接続される
ことを特徴とする請求項２または３に記載の電子機器装置。
【請求項５】
前記記録再生装置は、ディスクドライブ装置である
ことを特徴とする請求項１、２または３のいずれか１つに記載の電子機器装置。
【請求項６】
前記ディスクドライブ装置は、光ディスク装置又は磁気ディスク装置である
ことを特徴とする請求項５に記載の電子機器装置。
【請求項７】
前記電子機器は、PDA(Personal Digital Assistant)、カメラ無し携帯電話、カメラ付き携帯電話、音声プレーヤ、音声付きフォトビューワ、電子カメラ、これらに付属されるクレードルのいずれか１つである
ことを特徴とする請求項１に記載の電子機器装置。
【発明の詳細な説明】
【技術分野】
【０００１】
本発明は、電子機器と接続されるコネクタを有する電子機器装置に関する。
【背景技術】
【０００２】
電子カメラを載置して、コネクタ同士を接続することによって、電源の供給、或いは、電子カメラとパソコン等とを通信接続することのできるクレードル装置が知られている。
【０００３】
例えば、特開２００３−３３３４０３号公報には、通常使用時と異なる姿勢でクレードルに載置される電子カメラが示されている。この電子カメラが載置されるクレードルにおいては、該電子カメラに設けられている外部機器接続用コネクタと電気的に接続される、クレードルコネクタがカメラ装着部の底部に設けられている。
【特許文献１】特開２００３−３３３４０３号公報
【発明の開示】
【発明が解決しようとする課題】
【０００４】
しかしながら、特開２００３−３３３４０３号公報に示されている電子カメラでは、カメラ装着部の底部に設けられているクレードルコネクタの端子接点側が上方を向いて露出している。したがって、電子カメラが接続されていない状態においては、クレードルコネクタが露出状態になる。このため、持ち運びには不向きであり、持ち運びの際、露出したクレードルコネクタに何らかの物体がぶつかって破損するおそれがある。また、クレードルコネクタには電子カメラが頻繁に抜き差しされるため、このクレードルコネクタ端子接点の消耗が激しい。さらに、露出状態のクレードルコネクタの端子接点は埃等で汚れ易く、接点端子が汚れることによって、導通不良が発生するおそれがあった。
【０００５】
本発明は、上記事情に鑑みてなされたものであり、電子機器が接続されるコネクタを容易に交換することのできる電子機器装置を提供することを目的としている。
【課題を解決するための手段】
【０００６】
本発明の電子機器装置は、
上板と下板とで形成される外装部材の内部空間内に配設される、データを処理する信号処理手段及び前記データを記録再生するための記録再生装置を有する回路基板と、
前記上板に載置される電子機器が接続されるコネクタ本体と、
前記コネクタ本体を、前記回路基板に対して着脱自在に接続するコネクタ接続手段と
を備えて構成される。
【発明の効果】
【０００７】
本発明によれば、電子機器が接続されるコネクタを容易に交換することができるという効果がある。
【発明を実施するための最良の形態】
【０００８】
以下、図面を参照しながら本発明の実施例について述べる。
【実施例１】
【０００９】
図１ないし図１２は本発明の実施例１に係わり、図１は蓋部が閉状態のカメラ装着装置を示す図、図２は蓋部が開状態でコネクタ部が露出した状態のカメラ装着装置を示す図、図３はカメラ装着装置の上板と下板とで構成される内部空間に配設されるコネクタとＨＤＤとを説明する図、図４はカメラ装着装置の上板に取り付けられるコネクタを説明する図、図５は基板上面を示す図、図６は基板下面を示す図、図７は基板側面を示す図、図８は基板配置を説明する図、図９はカメラ装着装置の作用を説明する第１の図、図１０はカメラ装着装置の作用を説明する第２の図、図１１はカメラ装着装置の作用を説明する第３の図、図１２はカメラ装着装置の作用を説明する第４の図である。
【００１０】
図１に示すように、本実施形態の電子機器装置である例えばカメラ装着装置１を構成する外装部材２の上板３には開閉自在な蓋体４が設けられている。この蓋体４は、スイッチ端子５を押圧操作することによって、図に示す閉状態から図２に示す開状態に変化するようになっている。
【００１１】
なお、符号６は外装部材２を構成する下板である。また、符号７は選択スイッチである。この選択スイッチ７は、矢印Ａに示すようにＬＥＤランプ７ａ側又はＬＥＤランプ７ｂ側に移動可能である。そして、選択スイッチ７を例えばＬＥＤランプ７ａ側に移動させることによって、ＬＥＤランプ７ａが点灯状態になる。
【００１２】
例えば、ＬＥＤランプ７ａを点灯させた状態で電子機器である例えば電子カメラ（不図示）を上板３上の所定位置に載置させ、該電子カメラ内の表示をコピーモードに設定したとき、この電子カメラの画像データが後述するＨＤＤに転送される。一方、選択スイッチ７を、例えばＬＥＤランプ７ｂ側に移動させた点灯状態においては、接続されている例えばパソコン（以下、ＰＣと略記する）から電子カメラ内の保存画像データが要求されたとき、電子カメラに保存されている画像データがＰＣに転送をされるようになっている。
【００１３】
図２の矢印Ｂに示すように蓋体４は回動動作する構成になっている。蓋体４が図２に示す開位置まで移動されると、上板３に形成されている開口部３ａにカメラ装置側コネクタ（以下、コネクタと略記する）１０を構成するコネクタ本体１１の接点端子（不図示）側が上方向を向いた露出状態になる。
【００１４】
なお、符号１２はコネクタ１０を構成するコネクタ本体１１の接点端子が露出状態になることを防止するコネクタ本体保護カバー（以下、保護カバーと略記する）である。保護カバー１２は矢印Ｃに示すように図中の上下方向に対して摺動移動する。具体的には、例えば電子カメラを上板上に載置した状態において移動するようになっている。
【００１５】
また、符号１３はコネクタ１０を構成する第１のコネクタ載置部材（以下、第１載置部材と記載する）である。第１載置部材１３には一対の位置決め用凸部１３ａが設けられている。位置決め用凸部１３ａには、図示しない電子カメラ又はクレードルの外部機器接続用コネクタの近傍に設けられている案内穴が係入配置されるようになっている。この位置決め用凸部１３ａには固定用ネジ（後述する符号１７）が配設されるネジ配設孔１３ｂが形成されている。
【００１６】
図３を参照してカメラ装着装置１の構成を具体的に説明する。
【００１７】
図３に示すようにカメラ装着装置１の外装部材２は上板３と下板６とで構成される。これら上板３と下板６とで形成される内部空間内には、例えば基板８ａが一体に設けられた記録再生装置であるハードディスクドライブ（以下、ＨＤＤと記載する）８と、ＨＤＤ８を保持する固定用板金部材と、コネクタ１０を構成する第１載置部材１３、保護カバー１２を有するコネクタ本体１１及び第２コネクタ載置部材（以下、第２載置部材と略記する）１５と、コネクタ１０が回動自在に保持されるコネクタ設置枠１６等が配設されている。
【００１８】
上板３には蓋体４によって塞がれる開口部３ａと、スイッチ端子５が配設される貫通孔３ｂとが形成されている。スイッチ端子５は略Ｔ字形状であり、後述する連結端子（図３の符号２４）を、この連結端子２４が備える付勢力に抗して所定方向に摺動移動させる作用部５ａが設けられている。
【００１９】
蓋体４は、開口部３ａを略隙間なく塞ぐように形成されている。蓋体４の両側部には後述する支持部となる凸部４ａが設けられている。一方の凸部４ａには、所定の歯数で形成された蓋用歯車２１が例えば一体的に設けられている。
【００２０】
保護カバー１２を有するコネクタ本体１１の略中央部には、このコネクタ本体１１を先端側部１１ａと基端側部１１ｂとに分割するフランジ１１ｃが設けられている。
【００２１】
第１載置部材１３は平板状で硬質な樹脂部材で形成されている。第１載置部材１３の略中央部には保護カバー１２が摺動自在に配置される角穴１３ｃが形成されている。一対の位置決め用凸部１３ａは第１載置部材１３の一面側に形成されている。
【００２２】
第２載置部材１５は硬質な樹脂部材で形成されている。また、第２載置部材１５の両側部にはそれぞれ円柱状の回動保持部１５ｂが設けられている。一方の回動保持部１５ｂの先端側には、付勢用の捻りコイルバネ１８が配置される凸部１５ｃが設けられ、他方の回動保持部１５ｂには歯数を所定数に設定したコネクタ側歯車２２が一体的に設けられている。さらに、第２載置部材１５には前記ネジ配設孔１３ｂに対向する雌ねじ部（不図示）及びフランジ１１ｃが配設される凹部（不図示）が設けられている。
【００２３】
したがって、コネクタ本体１１の先端側部１１ａに第１載置部材１３の角穴１３ｃを挿入配置させる一方、コネクタ本体１１の基端側部１１ｂに第２載置部材１５を配置させる。そして、この配置状態で第１載置部材１３のネジ配設孔１３ｂに固定ネジ１７を挿入し、この固定ネジ１７を第２載置部材１５に設けられている雌ねじ部に螺合する。このことによって、コネクタ本体１１が、第１載置部材１３と第２載置部材１５とで挟持保持されて、図４に示すコネクタ１０が構成される。
【００２４】
コネクタ設置枠１６は硬質な樹脂部材で略凹字形状に形成されている。コネクタ設置枠１６に設けられた凹部１６ａ内にはコネクタ１０が配設される。コネクタ設置枠１６には、コネクタ１０を構成する第２載置部材１５に設けられている回動保持部１５ｂが回動自在に配設される一対の第１支持凹部１６ｂ、１６ｃが設けられている。第１支持凹部１６ｃには、コネクタ側歯車２２の軸部が回動自在に設けられるようになっている。
【００２５】
また、コネクタ設置枠１６の第１支持凹部１６ｃ近傍の側部所定位置には所定の歯数で形成された伝達用歯車２３が回動自在に配設される軸部１６ｄと、前記スイッチ端子５によって摺動移動される連結端子２４を構成する後述する枠部（図中の符号２４ａ）が配置される連結端子設置部１６ｅが設けられている。連結端子設置部１６ｅには開口１６ｆが形成されている。
【００２６】
さらに、コネクタ設置枠１６には蓋体４に設けられている凸部４ａが回動自在に配設される一対の第２支持凹部１６ｇが設けられている。
【００２７】
連結端子２４には枠部２４ａと付勢部２４ｂとが設けられている。枠部２４ａは、連結端子設置部１６ｅに配置される。枠部２４ａには開口２４ｃが形成されており、この開口２４ｃには開口１６ｆを介してスイッチ端子５の作用部５ａが配設されるようになっている。付勢部２４ｂは、連結端子２４をコネクタ設置枠１６に形成されている連結端子設置部１６ｅの所定位置に付勢配置させる所定の付勢力を有している。
【００２８】
ＨＤＤ８は、コネクタ本体１１に接続された電子カメラ（不図示）から転送されるデータを記録することが可能である。
【００２９】
図４を参照して蓋体４、コネクタ１０、コネクタ設置枠１６等の上板３への取付けについて説明する。
【００３０】
図３に示した基板８ａが一体に設けられたＨＤＤ８や、ＨＤＤ８を保持する固定用板金部材、コネクタ１０及びコネクタ１０を回動自在に保持するコネクタ設置枠１６は上板３に取り付けられる。
【００３１】
図４に示すように、まず、上板３の内面３ｃを図中の上方向に向けた状態にして、上板３の開口部３ａに回転支点軸部材２５を介して蓋体４を取り付ける。
【００３２】
次に、コネクタ１０を設けた状態のコネクタ設置枠１６を上板３に取り付けるため、コネクタ設置枠１６、スイッチ端子５、コネクタ１０、捻りコイルバネ１８、伝達用歯車２３、連結端子２４、Ｅリング２６等を用意する。
【００３３】
そして、コネクタ設置枠１６に設けられている第１支持凹部１６ｂ、１６ｃにコネクタ１０を構成する第２載置部材１５に設けられている回動保持部１５ｂを配設する。このことによって、コネクタ１０がコネクタ設置枠１６の凹部１６ａ内に回動自在な状態で配設される。
【００３４】
次いで、コネクタ設置枠１６の軸部１６ｄに伝達用歯車２３を配置する。このとき、伝達用歯車２３と回動保持部１５ｂに設けられているコネクタ側歯車２２とを噛合状態にする。その後、軸部１６ｄの先端部に形成されている周溝（不図示）にＥリング２６を嵌め込む。このことによって、軸部１６ｄにコネクタ側歯車２２と噛合する伝達用歯車２３が回動自在に配設される。
【００３５】
次に、コネクタ設置枠１６の連結端子設置部１６ｅに連結端子２４の枠部２４ａを配設させた状態にして、コネクタ設置枠１６を上板３の所定位置に設置する。このとき、コネクタ設置枠１６に設けられている第２支持凹部１６ｇに凸部４ａを配置させるとともに、コネクタ設置枠１６に設けられている一対の締結ネジ取付部１６ｈを、雌ねじを有する一対のコネクタ締結部３ｄの上に配置させる。
【００３６】
そして、図示しない締結ネジを締結ネジ取付部１６ｈの透孔１６ｉに配置し、締結ネジをコネクタ締結部３ｄの雌ねじに螺合する。このことによって、コネクタ設置枠１６が上板３に固定される。
【００３７】
このとき、コネクタ１０を構成するコネクタ本体１１の接点端子側を横方向に向けた状態にして蓋用歯車２１と伝達用歯車２３とが噛合した状態にする。このことによって、連動動作機構である動力伝達機構が蓋用歯車２１、伝達用歯車２３、コネクタ側歯車２２とで構成される。この動力伝達機構は、いわゆる歯車列を備えた歯車伝達機構であり、コネクタ１０を構成する第２載置部材１５の付勢力による回動動作に対して蓋体４の開閉動作が連動動作するとともに、蓋体４の手動による開閉動作に対してコネクタ１０を構成する第２載置部材１５の回動動作が連動動作する。
【００３８】
歯車伝達機構を構成する伝達用歯車２３が設けられる軸部１６ｄには、蓋体４の開き速度を適宜設定する、シリコンゲル剤を介在させた、ダンパ機能部が設けられている。このことによって、閉状態の蓋体４が開状態に変化するとき、蓋体４は所望の状態で開動作を行う。
【００３９】
この後、スイッチ端子５の作用部５ａを上板３の表側から貫通孔３ｂに挿入配置する。また、捻りコイルバネ１８を凸部１５ｃに配設し、捻りコイルバネ１８の一端部を突起部に引っ掛け配置する。このとき、作用部５ａを開口１６ｆ近傍に引っ掛け配置する。このことによって、コネクタ１０を構成する載置部材１３、１５で保持されたコネクタ本体１１は、捻りコイルバネ１８の付勢力によって、図に示すように接点端子側を横方向に向けた姿勢に保持される。
【００４０】
次に、ＨＤＤ８と固定用板金部材とを上板３の所定位置に固定する。このことによって、上板３へのコネクタ１０及びＨＤＤ８の取付けが完了する。
【００４１】
そして、最後に、下板６を上板３に一体に固定する。このことによって、図１に示したカメラ装着装置１が構成される。
【００４２】
図５に示すように、基板８ａは、第２載置部材１５の回動動作をさける切り欠き部１００が設けられており、図６に示すように、ＨＤＤ８が設けられている基板８ａの背面にはＨＤＤ８に対して信号処理する各種回路を構成するＩＣ群１０１が配置されている。コネクタ１０にはフレキシブル基板１０２（図２参照）が設けられており、このフレキシブル基板１０２と接続される接続部１０３がＩＣ群１０１が配置された基板８ａの面の切り欠き部１００の近傍に設けられている。
【００４３】
また、図７に示すように、基板８ａの側面には複数のＵＳＢ等の通信コネクタ１０４、電源端子１０５及び電源スイッチ１０６が設けられている。
【００４４】
図８に示すように、基板８ａはＨＤＤ８を上面にして、金属部材からなるシールド板１２１と、絶縁部材からなる絶縁シート１２２を介して下板６に配置される。
【００４５】
基板８ａでは、ＨＤＤ８に格納されているデータは、ＨＤＤ８のＡＴＡＰＩコネクタ１３１を介して基板８ａ背面のＩＣ群１０１で信号処理されＵＳＢ等の通信コネクタ１０４に伝送される。
【００４６】
また、絶縁シート１２２は、表面に凹凸が形成されたシート部材１４０の裏面を接着剤１４１で重ねた状態で接着して形成されている。
【００４７】
このように構成された本実施例の作用について説明する。
【００４８】
図９に示すように、コネクタ１０は、第２載置部材１５の回動動作をさける基板８ａの切り欠き部１００に配置される。この配置によりカメラ装着装置１を薄型に構成することが可能となっている。切り欠き部１００は、コネクタ１０の回動空間をさける形状に形成されている。
【００４９】
また、図１０に示すように、コネクタ１０はフレキシブル基板１０２により基板８ａの接続部１０３に着脱自在に接続される。
【００５０】
そして、図１１及び図１２に示すように、コネクタ１０を回動させる際には蓋体４が連動して回動し、基板８ａの切り欠き部１００内を障害なくコネクタ１０を回動させることができる。コネクタ１０は頻繁に電子カメラが接続されるため、接点端子の消耗が激しいが、本実施例ではフレキシブル基板１０２を基板８ａの接続部１０３から取り外すことで、容易にコネクタ１０を交換することができる。
【００５１】
なお、本実施例では、コネクタ１０を回動自在に構成したために、フレキシブル基板１０２を介してコネクタ１０を基板８ａに着脱自在に構成したが、特開２００３−３３３４０３号公報のようにコネクタ１０を固定した構成においても、コネクタ１０を接続部１０３を介して基板８ａに接続することで、コネクタ１０を着脱自在に構成することが可能である。
【００５２】
なお、本実施例では電子機器装置として、電子機器の１例である電子カメラを接続するカメラ装着装置１を例に説明したが、これに限らず、電子機器がPDA(Personal Digital Assistant)、カメラ無し携帯電話、カメラ付き携帯電話、音声プレーヤ、音声付きフォトビューワ、電子カメラ、これらに付属されるクレードル等である場合は、これらの電子機器と接続する電子機器装置であっても本実施例が適用可能であることはいうまでもない。
【００５３】
本発明は、上述した実施例に限定されるものではなく、本発明の要旨を変えない範囲において、種々の変更、改変等が可能である。
【図面の簡単な説明】
【００５４】
【図１】本発明の実施例１に係る蓋部が閉状態のカメラ装着装置を示す図
【図２】蓋部が開状態でコネクタ部が露出した状態のカメラ装着装置を示す図
【図３】カメラ装着装置の上板と下板とで構成される内部空間に配設されるコネクタとＨＤＤとを説明する図
【図４】カメラ装着装置の上板に取り付けられるコネクタを説明する図
【図５】基板上面を示す図
【図６】基板下面を示す図
【図７】基板側面を示す図
【図８】基板配置を説明する図
【図９】カメラ装着装置の作用を説明する第１の図
【図１０】カメラ装着装置の作用を説明する第２の図
【図１１】カメラ装着装置の作用を説明する第３の図
【図１２】カメラ装着装置の作用を説明する第４の図
【符号の説明】
【００５５】
１…カメラ装着装置
３…上板
４…蓋体
１０…コネクタ
１１…コネクタ本体
１３…第１コネクタ載置部材（第１載置部材）
１５…第２コネクタ載置部材（第２載置部材）
１６…コネクタ設置枠
１００…切り欠き部
１０１…ＩＣ群
１０２…フレキシブル基板
１０３…接続部
１０４…通信コネクタ
１０５…電源端子
１０６…電源スイッチ
１２１…シールド板
１２２…絶縁シート
代理人    弁理士    伊藤  進
【図１】
2006127610.tif 000003
【図２】
2006127610.tif 000004
【図３】
2006127610.tif 000005
【図４】
2006127610.tif 000006
【図５】
2006127610.tif 000007
【図６】
2006127610.tif 000008
【図７】
2006127610.tif 000009
【図８】
2006127610.tif 000010
【図９】
2006127610.tif 000011
【図１０】
2006127610.tif 000012
【図１１】
2006127610.tif 000013
【図１２】
2006127610.tif 000014